(57)【要約】【課題】  使用者がベビーカーを常に安定した状態で携帯することができるようにしたベビーカーを得ること。【解決手段】  折り畳み可能なベビーカー本体に装着されたベビーシートの背当て部の背面側に、使用者の両肩に掛けるようにしたリュック式の左右一対の携帯用の肩ベルトを装着した。【選択図】  図２
2006264531.tif 000002
【特許請求の範囲】
【請求項１】
折り畳み可能なベビーカー本体に装着されたベビーシートの背当て部の背面側に、使用者の両肩に掛けるようにしたリュック式の左右一対の携帯用の肩ベルトを装着したことを特徴とする、携帯用肩ベルト付きベビーカー。
【請求項２】
上記左右一対の肩ベルトの少なくとも一方の外面側には小物入れが設けられていることを特徴とする、請求項１記載の携帯用肩ベルト付きベビーカー。
【請求項３】
左右の肩ベルトには、先端部にバックルが設けられ、使用者の腹部の前方において両肩ベルトを連結する腹ベルトが設けられていることを特徴とする、請求項１または２記載の携帯用肩ベルト付きベビーカー。
【発明の詳細な説明】
【技術分野】
【０００１】
本発明はベビーカーに係り、特に携帯用の肩ベルトを設けたベビーカーに関する。
【背景技術】
【０００２】
一般に、乳幼児を散歩や買い物等のために屋外に連れ出す場合に使用するベビーカーにおいては、必要に応じて折り畳み、収納や携帯が容易になるようにしたものが提案されている。
【０００３】
すなわち、ビーカーを使用して母子で外出した場合には、階段を通行したり電車やバス等に乗車する時などにおいては、乳幼児を片手で抱え、他方の手でベビーカーを持って運ばなければならない状況に遭遇することがしばしばある。そこで、上述のようにベビーカーを必要に応じて小さく折り畳み可能として、持ち運びが容易になるように構成したものがある。しかしながら、上述のように乳幼児を片手で抱え、他方の手でベビーカーを持って運ばなければならない状況の時には、単にベビーカーを折り畳み可能としただけでは、その持ち運びは必ずしも容易とはいえず、母親等にとってはかなりの重労働を強いられることとなる。
【０００４】
そこで、ベビーカーの背面に携帯用ベルトを着脱自在に取り付けることにより、持ち運び時には上記ベルトを肩にかけ、使用者の負担を軽減するようにしたものも提案されている。
【０００５】
図４は、ベビーカーの幅が狭くなるように平面視コ字状に折り畳んだ、所謂三つ折り状態としたベビーカー１の背面に携帯用ベルト２が取り付けられたものを示す図であって、上記携帯用ベルト２は、縦長に形成したベルト本体２ａの上端にクリップバックル３を介して２本の腕ベルト２ｂ、２ｂが正面形状がほぼＹ字状を呈するように取り付けられており、上記２本の腕ベルト２ｂ、２ｂの先端部が手押し杆４に対して折り畳み操作機構部５の両側部に着脱可能に装着されている。一方、上記ベルト本体２ａの下端部はベビーカー本体１の下部のフレーム等に固着されている。
【０００６】
しかして、階段を登り降りする場合や電車等に乗車する場合には、ベビーカー１を前記三つ折り状態に折り畳んで、図５に示すように、携帯用ベルト２を使用者の片方の肩に掛けて携帯することにより、比較的容易に持ち運ぶことができる。
【特許文献１】実開平６−２７４２６号公報
【発明の開示】
【発明が解決しようとする課題】
【０００７】
しかしながら、上記既に提案されているものは、上述のようにベルト本体２ａを使用者の片方の肩に掛けるだけであるため、移動中にベルト本体２ａが肩からずり落ちる可能性があり、使用者が片方の手で上記ベルト本体２ａを持っている必要がある。したがって、両手を乳幼児やその他の荷物の携帯に使用することができない等の問題がある。
【０００８】
本発明は、このような点に鑑み、ベビーカーを常に安定した状態で携帯し得るようにした携帯用ベルト付きベビーカーを得ることを目的とする。
【課題を解決するための手段】
【０００９】
請求項１に係る発明は、折り畳み可能なベビーカー本体に装着されたベビーシートの背当て部の背面側に、使用者の両肩に掛けるようにしたリュック式の左右一対の携帯用の肩ベルトを装着したことを特徴とする。
【００１０】
請求項２に係る発明は、請求項１に係る発明において、上記左右一対の肩ベルトの少なくとも一方の外面側には小物入れが設けられていることを特徴とする。
【００１１】
請求項３に係る発明は、請求項１または２に係る発明において、左右の肩ベルトには、先端部にバックルが設けられ、使用者の腹部の前方において両肩ベルトを連結する腹ベルトが設けられていることを特徴とする。
【発明の効果】
【００１２】
本発明は、上述のように、折り畳み可能なベビーカー本体に装着されたベビーシートの背当て部の背面側に、使用者の両肩に掛けるようにしたリュック式の左右一対の携帯用の肩ベルトを装着したので、ベビーカーの携帯時には、肩ベルトを左右の両肩に掛けることができ、ベビーカーを安定した状態で保持携帯することができる。したがって、移動時にベビーカーがずれ落ちる心配がなく、両手を乳幼児やその他の荷物の携帯に自由に使用できる等の効果を奏する。
【発明を実施するための最良の形態】
【００１３】
以下、図１乃至図３を参照して本発明の実施の形態を説明する。
【００１４】
図１は本発明のベビーカーの概略構成を示す斜視図であり、ベビーカー本体１０は、前輪１１を有する左右１対の前脚１２、後輪１３を有する左右１対の後脚１４、ほぼＵ字状に屈曲された手押し杆１５、左右１対のアームレスト１６、及び左右の前脚１２及び後脚１４をそれぞれ連結する連結部材１７、１８によって構成されている。上記ベビーカー本体１０は従来周知のベビーカーと同一であり、前脚１２と後脚１４とが互いにほぼ平行となる二つ折り状態に折り畳んだ後、さらに平面視でコ字状に屈曲された三つ折り状態に折り畳み可能としてある。図２に上記三つ折り状態に折り畳んだ状態の背面図を示す。
【００１５】
上記ベビーカー本体１０には、座板部及び背当て部を有するベビーシート２０が装着されており、図１に示すようにベビーカー本体１０を展開状態にして上記ベビーシート２０に乳幼児を座らせ或いは寝かせて、ベビーカーを走行移動させることができる。
【００１６】
ところで、上記ベビーシート２０の背当て部２０ａの背面側には、使用者の両肩に掛けるようにしたリュック式の左右一対の携帯用の肩ベルト２１、２１が取り付けられている。上記左右一対の携帯用の肩ベルト２１、２１はその上端部が上記背当て部２０ａの背面に固着されており、その肩ベルト２１、２１の下端部は、それぞれ調節具２２を有する調節ベルト２３（図２参照）を介して、ベビーカー本体例えば手押し杆１５の下部に連結されている。
【００１７】
一方、上記左右の調節ベルト２３には、それぞれ先端部にバックル２４ａ、２４ａが設けられた腹ベルト２５、２５が装着されており、上記左右の腹ベルト２５、２５のバックル２４ａ、２４ａを留めることにより、使用者の腹部の前方において両肩ベルト２１、２１を連結することができるようにしてある。
【００１８】
また、上記両肩ベルト２１の少なくとも一方の外面側には、小物入れ２６が設けられている。
【００１９】
しかして、階段を登り降りする場合や電車等に乗車する場合にベビーカーを折り畳んで持ち運ぶ時には、図３に示すように携帯用の肩ベルト２１、２１を使用者の両肩にリュック式に掛け、両肩で背負って携帯することができ、ベビーカーを簡単に持ち運ぶことができる。すなわち、使用者の両肩に肩ベルト１２を掛けてベビーカーを背負うので、移動中に肩ベルトがずり落ちるようなことがなく、常に両手が自由になり、両手を乳幼児を抱いたり、荷物を持つのに使用することができ安全性も向上することができる。しかも、上述のように両肩で背負って携帯する場合には、左右の腹ベルト２５、２５をバックル２４ａを介して互いに連結することにより、左右の肩ベルトの脱落を確実に阻止することができる。
【００２０】
さらに、肩ベルト２１の外面に小物入れ２６を設けた場合には、ベビーカーの使用時ばかりでなく、上述のようにベビーカーを背負って運ぶ場合にも、上記小物入れ２６に小物を収納しておくことができ、便利性を向上させることができる。
【００２１】
なお、上記実施の形態においては肩ベルト２１の上端部をベビーシート２０に取り付けたものを示したが、手押し杆等のベビーカー本体に装着してもよい。
【図面の簡単な説明】
【００２２】
【図１】本発明のベビーカーの概略構成を示す斜視図。
【図２】本発明のベビーカーを三つ折り状態に折り畳んだ状態の背面図。
【図３】本発明のベビーカーを両肩に背負って携帯した状態を示す図。
【図４】従来のベビーカーを三つ折り状態に折り畳んだ状態の背面図。
【図５】従来のベビーカーを携帯した状態を示す図。
【符号の説明】
【００２３】
１１  前輪  
１２  前脚  
１３  後輪
１４  後脚
１５  手押し杆
２０  ベビーシート
２１  肩ベルト
２３  調節ベルト
２４ａ  バックル
２５  腹ベルト
２６  小物入れ
【図１】
2006264531.tif 000003
【図２】
2006264531.tif 000004
【図３】
2006264531.tif 000005
【図４】
2006264531.tif 000006
【図５】
2006264531.tif 000007